(57)【特許請求の範囲】
【請求項１】
物体側から像側へ順に、フォーカスレンズ部と、ズーミングのために移動するレンズ群を含むズーム部と、ズーミングのためには移動しないリレー部を備えるズームレンズにおいて、
前記ズーム部と前記リレー部との間に、光量調節用の開口絞りを備えており、
前記リレー部は、物体側から像側へ順に、負の屈折力の第４１群、光路中から着脱自在の第４２群、正の屈折力の第４３群を有しており、
前記リレー部は、全系の焦点距離範囲を長焦点距離側に変位させるために、前記第４２群の光路中からの退避に伴って光路中に挿入する第４４群とを有し、
前記第４４群が光路中に挿入された状態における前記開口絞りから前記第４４群の最終レンズ面までの光軸上の距離をｌ_ｏｕｔ、前記第４４群の第１レンズ面から最終レンズ面までの光軸上の距離をｌ_ｅｘ、前記開口絞りの開放状態のときの開口径をｅａ_ｓｐとするとき、
１．２５＜ｌ_ｏｕｔ／ｅａ_ｓｐ＜１．３８
０．４０＜ｌ_ｅｘ／ｌ_ｏｕｔ＜０．５５
なる式を満たすことを特徴とするズームレンズ。
【請求項２】
前記第４２群が光路中に挿入された状態における前記第４２群の第１レンズ面の有効径をｅａ１、前記第４２群の最終レンズ面の有効径をｅａｋ、前記第４４群が光路中に挿入された状態における前記第４４群の第１レンズ面の有効径をｅａ１_ｅｘ、前記第４４群の最終レンズ面の有効径をｅａｋ_ｅｘとするとき、
０．７０＜ｅａ１／ｅａｋ＜０．９２
１．４０＜ｅａ１_ｅｘ／ｅａｋ_ｅｘ＜１．８７
なる式を満たすことを特徴とする請求項１に記載のズームレンズ。
【請求項３】
前記第４１群は、光軸に対して垂直な方向に移動可能であることを特徴とする請求項１又は２に記載のズームレンズ。
【請求項４】
前記第４１群の第１レンズ面の有効径をｅａ４１、前記第４４群が光路中に挿入された状態における前記開口絞りから前記第４４群の第１レンズ面までの光軸上の距離をｌ_ｉｎとするとき、
１．２０＜ｅａ４１／ｌ_ｉｎ＜１．７０
なる式を満たすことを特徴とする請求項１乃至３のいずれか１項に記載のズームレンズ。
【請求項５】
前記第４１群の焦点距離をｆ４１、前記第４４群が光路中に挿入された状態における前記第４１群と前記第４４群の合成焦点距離をｆ４１_ｅｘとするとき、
１．８＜ｆ４１／ｆ４１_ｅｘ＜２．７
なる式を満たすことを特徴とする請求項１乃至４のいずれか１項に記載のズームレンズ。
【請求項６】
前記ズーム部は、ズーミングのために移動する負の屈折力の第２レンズ群、ズーミングのために移動する正の屈折力の第３レンズ群より構成されていることを特徴とする請求項１乃至５のいずれか１項に記載のズームレンズ。
【請求項７】
請求項１乃至６のいずれか１項に記載のズームレンズと前記ズームレンズによって形成された像を受光する固体撮像素子を有することを特徴とする撮像装置。
【発明の詳細な説明】
【技術分野】
【０００１】
本発明はズームレンズ及びそれを有する撮像装置に関し、放送用テレビカメラ、ビデオカメラ、デジタルスチルカメラ、銀塩写真用カメラ等に好適なものである。
【背景技術】
【０００２】
近年、テレビカメラ等の撮像装置には、高ズーム比でしかも高い光学性能を有したズームレンズが要望されている。高ズーム比化を図る方法として内蔵エクステンダ方式が知られている。内蔵エクステンダ方式では、ズームレンズを構成するズーミングの際に固定のリレー部を構成する一部の部分系を光路中から挿脱させ、その代わりにエクステンダを挿着させることにより、全系の焦点距離範囲を変位させている。
【０００３】
例えば合焦用の第１レンズ群、変倍用の第２レンズ群、像面変動補正用の第３レンズ群、エクステンダと交換可能なレンズ群を含む結像用の第４レンズ群（リレー部）より成る４群ズームレンズが知られている（特許文献１、２）。特許文献１、２のズームレンズでは第４レンズ群を負の屈折力の第４１群、光路中から挿脱可能な第４２群、正の屈折力の第４３群から構成している。そして第４２群をエクステンダと交換して全系の焦点距離範囲を変位させている。
【先行技術文献】
【特許文献】
【０００４】
【特許文献１】特開昭６３−２５３４５３号公報
【特許文献２】特開２００９−０９８４１９号公報
【発明の概要】
【発明が解決しようとする課題】
【０００５】
テレビカメラやビデオカメラ等の撮像装置に用いられるズームレンズには、高ズーム比で高い光学性能を有するとともに、全系が小型軽量であることが要求されている。一般に内蔵エクステンダ方式では、リレー部にエクステンダを挿脱するために、光軸方向に所定の長さの空間を確保する必要がある。このため、リレー部の全長が長くなる傾向がある。リレー部の全長の増大を抑制するためには、エクステンダの光軸方向の長さを短縮することが有効である。
【０００６】
全系の焦点距離範囲を長焦点距離側に変位させるエクステンダでは、エクステンダを光路中に挿着したときエクステンダへの入射光線高に対して、エクステンダからの射出光線高を低くしなければならない。そのため、一般的にエクステンダは、正の屈折力の前群と負の屈折力の後群で構成される。エクステンダの全長を短くするには前群の正の屈折力を強くし、後群の負の屈折力を強くする必要がある。一般に、このような強い屈折力で前群と後群を構成すると、収差の絶対量が増加するだけでなく、高次の項の収差が多く発生する等、収差補正が困難になる。
【０００７】
図１４（Ａ）、（Ｂ）は、４群ズームレンズにおいてリレー部を構成する負の屈折力の第４１群に光束が収斂で入射し、発散で射出している場合の説明図である。図１４（Ａ）は第４２群が基準レンズ群であり全系の焦点距離範囲が基準状態における模式図である。図１４（Ｂ）は第４４群がエクステンダであり全系の焦点距離範囲を長焦点距離側に変位させたエクステンダ切り替え状態における模式図である。第４１群から光束が発散で射出している場合は、第４４群への入射光線高が高くなる。そのため、図１４（Ｂ）に示すように、第４４群への入射光線高に対して、射出光線高を低くする割合を大きくする必要がある。よって、第４４群（エクステンダ）を構成する前群と後群の屈折力を強くせざるを得ない。逆に、各群の屈折力を弱くすると、第４４群の全長の短縮が困難になる。
【０００８】
図１５（Ａ）、（Ｂ）は４群ズームレンズにおいて、リレー部を構成する負の屈折力の第４１群に光束が収斂で入射し、収斂で射出している場合の説明図である。図１５（Ａ）は第４２群が基準レンズ群であり全系の焦点距離範囲が基準状態における模式図である。図１５（Ｂ）は第４４群がエクステンダであり全系の焦点距離範囲を長焦点距離側に変位させたエクステンダ切り替え状態における模式図である。
【０００９】
第４１群から光束が収斂で射出している場合は、第４４群への入射光線高が低くなる。そのため、図１５（Ｂ）に示すように、エクステンダ切り替え状態においては、第４４群への入射光線高に対して、射出光線高を低くする割合が小さい。よって、第４４群の全長の短縮には有利となる。しかし、図１５（Ａ）に示すように、基準状態においては第４２群への入射光線高に対して、射出光線高を高くする割合が大きくなる。そのため、第４２群の屈折力が強くなり、全系の焦点距離範囲が基準状態において、収差補正が困難になる。以上より、高い光学性能を確保しつつ、第４４群（エクステンダ）の全長の短縮化を図るには、リレー部及びエクステンダのレンズ構成を適切に設定する必要がある。
【００１０】
本発明は、リレー部及びエクステンダのレンズ構成を適切に設定することによりリレー部の全長の増大を抑制しつつ、基準状態及びエクステンダ切り替え状態において高い光学性能が容易に得られるズームレンズ及びそれを有する撮像装置の提供を目的とする。
【課題を解決するための手段】
【００１１】
本発明のズームレンズは、物体側から像側へ順に、フォーカスレンズ部と、ズーミングのために移動するレンズ群を含むズーム部と、ズーミングのためには移動しないリレー部を備えるズームレンズにおいて、
前記ズーム部と前記リレー部との間に、光量調節用の開口絞りを備えており、
前記リレー部は、物体側から像側へ順に、負の屈折力の第４１群、光路中から着脱自在の第４２群、正の屈折力の第４３群を有しており、
前記リレー部は、全系の焦点距離範囲を長焦点距離側に変位させるために、前記第４２群の光路中からの退避に伴って光路中に挿入する第４４群とを有し、
前記第４４群が光路中に挿入された状態における前記開口絞りから前記第４４群の最終レンズ面までの光軸上の距離をｌ_ｏｕｔ、前記第４４群の第１レンズ面から最終レンズ面までの光軸上の距離をｌ_ｅｘ、前記開口絞りの開放状態のときの開口径をｅａ_ｓｐとするとき、
１．２５＜ｌ_ｏｕｔ／ｅａ_ｓｐ＜１．３８
０．４０＜ｌ_ｅｘ／ｌ_ｏｕｔ＜０．５５
なる式を満たすことを特徴としている。
【発明の効果】
【００１２】
本発明によれば、リレー部及びエクステンダのレンズ構成を適切に設定することによりリレー部の全長の増大を抑制しつつ、基準状態及びエクステンダ切り替え状態において高い光学性能が容易に得られるズームレンズが得られる。
【図面の簡単な説明】
【００１３】
【図１】（Ａ）（Ｂ）  数値実施例１の広角端での基準状態とエクステンダ切り替え状態におけるレンズ断面図
【図２】（Ａ）（Ｂ）（Ｃ）  数値実施例１の各ズーム位置での基準状態における縦収差図
【図３】（Ａ）（Ｂ）（Ｃ）  数値実施例１の各ズーム位置でのエクステンダ切り替え状態における縦収差図
【図４】（Ａ）（Ｂ）  数値実施例２の広角端での基準状態とエクステンダ切り替え状態におけるレンズ断面図
【図５】（Ａ）（Ｂ）（Ｃ）  数値実施例２の各ズーム位置での基準状態における縦収差図
【図６】（Ａ）（Ｂ）  数値実施例２の望遠端で基準状態で防振をしないときと防振をおこなったときの横収差図
【図７】（Ａ）（Ｂ）（Ｃ）  数値実施例２の各ズーム位置でのエクステンダ切り替え状態における縦収差図
【図８】（Ａ）（Ｂ）  数値実施例３の広角端での基準状態とエクステンダ切り替え状態におけるレンズ断面図
【図９】（Ａ）（Ｂ）（Ｃ）  数値実施例３の各ズーム位置での基準状態における縦収差図
【図１０】（Ａ）（Ｂ）  数値実施例３の望遠端で基準状態で防振をしないときと防振をおこなったときの横収差図
【図１１】（Ａ）（Ｂ）（Ｃ）  数値実施例３の各ズーム位置でのエクステンダ切り替え状態における縦収差図
【図１２】本発明の撮像装置の概略図
【図１３】（Ａ）（Ｂ）  リレー部の基準状態とエクステンダ切り替え状態の光路図
【図１４】（Ａ）（Ｂ）  リレー部の基準状態とエクステンダ切り替え状態の光路図
【図１５】（Ａ）（Ｂ）  リレー部の基準状態とエクステンダ切り替え状態の光路図
【発明を実施するための形態】
【００１４】
以下に、本発明の好ましい実施の形態を、添付の図面に基づいて詳細に説明する。本発明のズームレンズは、物体側から像側へ順に、フォーカスレンズ部と、ズーミングのために移動するレンズ群を含むズーム部と、光量調節用の開口絞りと、ズーミングのためには移動しないリレー部(第４群)を有する。リレー部は、負の屈折力の第４１群、光路中から退避可能（着脱自在）の第４２群、正の屈折力の第４３群から構成される。このリレー部は、第４２群を光路中から退避させた際に、この第４２群の代わりに光路中に挿入することにより（挿着して）全系の焦点距離範囲を長くする（長焦点距離側に変位させる）第４４群を有する。ここで、この第４４群は第４２群が配置されていた場所と同じ場所に挿入される。また、この第４４群を光路に挿入することにより、第４２群が光路中に配置されていた場合に比べて、全系の焦点距離が１．５倍以上（好ましくは２倍以上）になることが望ましい。また、光路中に、第４２群も第４４群もいずれも光路中に配置しない場合があっても構わない。
【００１５】
ここで、第４１群（リレー部の最も物体側のレンズ群）は、光軸と垂直な方向（光軸に対して斜めの方向でも構わない）に移動可能である。本実施例では、不図示の振動センサ（加速度センサ、変位センサ）等の検出結果に基づいて、この第４１群を光軸と垂直な方向に移動させることにより、このズームレンズにより結ばれる像の位置を光軸と垂直な方向に変位させている。これによって、ズームレンズの振動（ブレ）に起因する画像の振動（ブレ）を低減している。
【００１６】
図１（Ａ）、（Ｂ）は本発明の実施例１の広角端における基準状態と、全系の焦点距離範囲を長い方へ変位させたとき（エクステンダ切り替え状態）のレンズ断面図である。ここで基準状態とはリレー部の光路中に基準レンズ群（第４２群）が配置されているときをいい、エクステンダ切り替え状態とはリレー部の光路中に基準レンズ群の代わりにエクステンダ（第４４群）が配置されたときをいう。これは以下同様である。
【００１７】
図２（Ａ）、（Ｂ）、（Ｃ）は本発明の実施例１の基準状態における広角端（短焦点距離端）、焦点距離９４．４４ｍｍ、望遠端（長焦点距離端）における縦収差図である。ここで焦点距離の値は後述する数値実施例をｍｍ単位で表わしたときの値である。また、収差図は物体距離（像面からの距離）１３ｍのときを示している。これは以下の実施例においても同様である。図３（Ａ）、（Ｂ）、（Ｃ）は本発明の実施例１のエクステンダ切り替え状態における広角端、焦点距離１８８．８８ｍｍ、望遠端における縦収差図である。
【００１８】
図４（Ａ）、（Ｂ）は本発明の実施例２の広角端における基準状態と、全系の焦点距離範囲を長い方へ変位させたとき（エクステンダ切り替え状態）のレンズ断面図である。図５（Ａ）、（Ｂ）、（Ｃ）は本発明の実施例２の基準状態における広角端、焦点距離９４．４４ｍｍ、望遠端における縦収差図である。図６（Ａ）、（Ｂ）は本発明の実施例２の基準状態における望遠端と、基準状態であって望遠端において防振用の第４１群Ｕ４１を光軸に対し垂直方向に１．４ｍｍ偏心させたときの横収差図である。図７（Ａ）、（Ｂ）、（Ｃ）は本発明の実施例２のエクステンダ切り替え状態における広角端、焦点距離１８８．８８ｍｍ、望遠端における縦収差図である。
【００１９】
図８（Ａ）、（Ｂ）は本発明の実施例３の広角端における基準状態と、全系の焦点距離範囲を長い方へ変位させたとき（エクステンダ切り替え状態）のレンズ断面図である。図９（Ａ）、（Ｂ）、（Ｃ）は本発明の実施例３の基準状態における広角端、焦点距離９４．４４ｍｍ、望遠端における縦収差図である。図１０（Ａ）、（Ｂ）は本発明の実施例３の基準状態における望遠端と、基準状態であって望遠端において防振用の第４１群Ｕ４１を光軸に対し垂直方向に１．９ｍｍ偏心させたときの横収差図である。図１１（Ａ）、（Ｂ）、（Ｃ）は本発明の実施例３のエクステンダ切り替え状態における広角端、焦点距離１８８．８８ｍｍ、望遠端における縦収差図である。図１２は本発明のズームレンズを備える撮像装置の要部概略図である。
【００２０】
レンズ断面図において、Ｕ１はズーミングに際して不動の正の屈折力の第１レンズ群（フォーカスレンズ部）である。第１レンズ群Ｕ１は、全体又は一部の屈折力のあるレンズ群を移動することにより、フォーカスを行っている。ＬＺはズーミングのために移動するレンズ群を含むズーム部である。ズーム部ＬＺは広角端から望遠端へのズーミングの際に像側へ直線的に移動する負の屈折力の第２レンズ群（バリエータレンズ群）Ｕ２を有する。更に変倍に伴う像面位置の変動を補正するために物体側へ非直線的に移動する正の屈折力の第３レンズ群（コンペンセーターレンズ群）Ｕ３を有している。第３レンズ群Ｕ３は、広角端から望遠端への変倍に際して、第２レンズ群Ｕ２の移動に連動して光軸上を移動している。
【００２１】
ＳＰは開口絞りであり、第３レンズ群Ｕ３の像側に配置されている。Ｕ４はズーミングのためには移動しない、結像のための正の屈折力の第４レンズ群（リレーレンズ群）（リレー部）である。リレー部Ｕ４は負の屈折力の第４１群Ｕ４１、光路中から挿脱可能な第４２群Ｕ４２、正の屈折力の第４３群Ｕ４３から構成される。Ｕ４４は第４４群（エクステンダ）であり、第４２群Ｕ４２を光路から退避させ、その代わりに光路中に挿着され、全系の焦点距離範囲を長焦点距離側に変位させている。Ｐは色分解プリズムや光学フィルタであり、硝子ブロックとして示している。ＩＰは像面であり、固体撮像素子（光電変換素子）の撮像面に相当している。
【００２２】
縦収差図において、球面収差はｅ線（実線）、ｇ線（２点鎖線）を示している。非点収差はｅ線のメリディオナル像面（ｍｅｒｉ）（点線）とサジタル像面（Ｓａｇｉ）（実線）を示している。倍率色収差はｇ線（２点鎖線）によって表している。ＦｎｏはＦナンバー、ωは半画角を表す。Ｙは像高である。横収差はｅ線のメリディオナル像面（ｍｅｒｉ）（実線）、ｅ線のサジタル像面（Ｓａｇｉ）（点線）、ｇ線（２点鎖線）を表している。
【００２３】
焦点距離範囲が基準状態における縦収差図では、球面収差は０．５ｍｍ、非点収差は０．５ｍｍ、歪曲は５％、倍率色収差は０．０５ｍｍのスケールで描かれている。横収差は、０．０５ｍｍのスケールで描かれている。エクステンダ切り替え状態における縦収差図では、球面収差は１．０ｍｍ、非点収差は１．０ｍｍ、歪曲は５％、倍率色収差は０．０５ｍｍのスケールで描かれている。なお、以下の各実施例において広角端と望遠端は、変倍用の第２レンズ群Ｕ２が機構に対して光軸上を移動可能な範囲の両端に位置したときのズーム位置を指す。
【００２４】
次に各実施例の特徴について説明する。各実施例のズームレンズは、物体側から像側へ順に、フォーカスのためのレンズ群を含むフォーカスレンズ部Ｕ１、ズーミング用のレンズ群を含むズーム部ＬＺ、光量調節用の開口絞りＳＰを有する。更にズーミングの際に不動の結像作用をするリレー部（第４群）Ｕ４で構成されている。リレー部Ｕ４は、負の屈折力の第４１群Ｕ４１、第４２群Ｕ４２、正の屈折力の第４３群Ｕ４３を有している。また、第４２群Ｕ４２は、全系の焦点距離範囲を長焦点距離側に変位させる第４４群（エクステンダ）Ｕ４４と交換可能に構成されている。第４４群（エクステンダ）Ｕ４４が光路中に挿入された状態における開口絞りＳＰから第４４群Ｕ４４の最終レンズ面までの光軸上の距離（ここで光軸上の距離とは実際の長さである。以下同じ）をｌ_ｏｕｔとする。第４４群Ｕ４４の第１レンズ面から最終レンズ面までの光軸上の距離をｌ_ｅｘとする。開口絞りＳＰの開放状態のときの開口径をｅａ_ｓｐとする。このとき、
１．２５＜ｌ_ｏｕｔ／ｅａ_ｓｐ＜１．３８    ・・・（１）
０．４０＜ｌ_ｅｘ／ｌ_ｏｕｔ＜０．５５  ・・・（２）
なる式（条件式）を満たしている。
【００２５】
（１）式は、開口絞りＳＰの絞り径に対する、開口絞りＳＰから第４４群Ｕ４４の最終レンズ面までの光軸上の距離の比を規定している。（１）式を満たすことで、開口絞りＳＰから第４４群Ｕ４４までの間隔を適切に短縮してズームレンズの小型化を容易にしている。（１）式の上限を超えると、開口絞りＳＰから第４４群Ｕ４４までの間隔が長くなるため、ズームレンズの小型化が困難となる。逆に、（１）式の下限を超えると、ズームレンズの小型化には有利となるが、第４１群Ｕ４１や第４４群Ｕ４４での収差補正が困難となる。さらに好ましくは（１）式の数値範囲は、次の如く設定するのが良い。
【００２６】
１．３０＜ｌ_ｏｕｔ／ｅａ_ｓｐ＜１．３６  ・・・（１ａ）
（２）式は、開口絞りＳＰから第４４群Ｕ４４の最終レンズ面までの光軸上の距離に対する第４４群Ｕ４４の光軸方向の厚さ（第４４群Ｕ４４の全長）の比を規定している。（２）式を満たすことで、第４４群Ｕ４４を光路中より挿脱する間隔を短縮することができるため、ズームレンズの小型化が容易になる。（２）式の上限を超えると、第４４群Ｕ４４の厚さが長くなるため、ズームレンズの小型化が困難となる。逆に、（２）式の下限を超えると、第４４群Ｕ４４を構成するレンズの屈折力が強くなりすぎて、収差補正が困難となる。さらに好ましくは（２）式の数値範囲は次の如く設定するのが良い。
【００２７】
０．４２＜ｌ_ｅｘ／ｌ_ｏｕｔ＜０．５３  ・・・（２ａ）
各実施例では、以上の如く構成することによりリレー部の小型化を図りつつ良好なる光学性能を得ているが、更に好ましくは次の条件のうち１以上を満足するのが良い。第４２群Ｕ４２が光路中に挿入された状態における第４２群Ｕ４２の第１レンズ面の有効径をｅａ１、前記第４２群Ｕ４２の最終レンズ面の有効径をｅａｋとする。第４４群Ｕ４４が光路中に挿入された状態における前記第４４群Ｕ４４の第１レンズ面の有効径をｅａ１_ｅｘ、第４４群Ｕ４４の最終レンズ面の有効径をｅａｋ_ｅｘとする。
【００２８】
第４１群Ｕ４１の第１レンズ面の有効径をｅａ４１とする。第４４群Ｕ４４が光路中に挿入された状態における開口絞りＳＰから第４４群Ｕ４４の第１レンズ面までの光軸上の距離をｌ_ｉｎとする。第４１群Ｕ４１の焦点距離をｆ４１とする。第４４群Ｕ４４が光路中に挿入された状態における第４１群Ｕ４１と第４４群Ｕ４４の合成焦点距離をｆ４１_ｅｘとする。このとき、
０．７０＜ｅａ１／ｅａｋ＜０．９２            ・・・（３）
１．４０＜ｅａ１_ｅｘ／ｅａｋ_ｅｘ＜１．８７  ・・・（４）
１．２０＜ｅａ４１／ｌ_ｉｎ＜１．７０          ・・・（５）
１．８＜ｆ４１／ｆ４１_ｅｘ＜２．７            ・・・（６）
なる式の１以上を満足すると更に望ましい。
【００２９】
（３）、（４）式は第４４群Ｕ４４の光軸方向の厚さ（全長）を短くしつつ、収差補正を良好に行うためのものである。（３）、（４）式の上限を超えると、第４４群Ｕ４４への入射光線高に対して、第４４群Ｕ４４からの射出光線高をより低くしなければならない。このため、第４４群Ｕ４４を構成するレンズの屈折力が強くなり、収差補正が困難となる。逆に、（３）、（４）式の下限を超えると、第４２群Ｕ４２を構成するレンズの屈折力が強くなり、全系の焦点距離範囲が基準状態において、収差補正が困難となる。図１３（Ａ）、（Ｂ）の模式図に示すように、第４４群Ｕ４４、第４２群Ｕ４２の入射光線高と射出光線高を適切に設定することで、第４４群Ｕ４４の厚さの短縮と収差補正を良好に行っている。
【００３０】
更に好ましくは（３）、（４）式の数値範囲を次の如く設定するのが良い。
【００３１】
０．７２＜ｅａ１／ｅａｋ＜０．９０            ・・・（３ａ）
１．４１＜ｅａ１_ｅｘ／ｅａｋ_ｅｘ＜１．８５  ・・・（４ａ）
（５）式の上限を超えると、防振用の第４１群Ｕ４１が大型になり、画像のブレに対する防振の追従性が低下し、また駆動機構が大型化してくる。（５）式の下限を超えると、開口絞りＳＰから第４４群Ｕ４４までの光軸上の距離が長くなるので、ズームレンズの小型化が困難になる。さらに好ましくは条件式（５）式の数値範囲は、次の如く設定するのが良い。
【００３２】
１．２９＜ｅａ４１／ｌ_ｉｎ＜１．６５  ・・・（５ａ）
（６）式の上限を超えると、防振用の第４１群Ｕ４１のパワーが強くなり、偏心したときに発生する偏心のコマ収差や像面湾曲、倍率色収差等の補正が困難となるので好ましくない。逆に（６）式の下限を超えると、防振時における防振用の第４１群Ｕ４１の偏心量が増加するため、防振時の偏心収差の発生が大きくなり、防振時の光学性能を良好に維持するのが困難となる。さらに好ましくは（６）式は次の如く設定するのが良い。
【００３３】
１．９５＜ｆ４１／ｆ４１_ｅｘ＜２．６０  ・・・（６ａ）
以上のように各実施例によれば高い光学性能を有しつつ、リレー部を構成する一部の部分系を光路中より挿脱可能に構成し、部分系の代わりにエクステンダを挿着することにより、全系の焦点距離範囲を長焦点距離側に変位させることができる。
【００３４】
以下に本発明のズームレンズの各実施例の具体的な構成について説明する。実施例１〜３は数値実施例１〜３に相当する。
【００３５】
フォーカスレンズ部Ｕ１、ズーム部ＬＺを構成する第２レンズ群Ｕ２、第３レンズ群Ｕ３のレンズ構成は実施例１〜３で全て同じである。各実施例においては、リレー部Ｕ４を構成する第４１群Ｕ４１、第４２群Ｕ４２、第４３群Ｕ４３、そして第４４群（エクステンダ）Ｕ４４のレンズ構成が異なっている。実施例１において、第４群Ｕ４は負の屈折力の第４１群Ｕ４１、第４２群Ｕ４２、正の屈折力の第４３群Ｕ４３で構成される。第４４群Ｕ４４は、第４２群Ｕ４２を光路から退避させ、その代わりに光路中に挿着される。
【００３６】
実施例１における第４群（リレー部）Ｕ４について説明する。第４群Ｕ４は数値実施例１において第２８面から第４７面に対応する。第４群Ｕ４を構成する第４１群Ｕ４１は、物体側から像側へ順に、像側の面が凹でメニスカス形状の負レンズＧ１と物体側の面が凸でメニスカス形状の正レンズＧ２とを接合した接合レンズ、物体側の面が凹でメニスカス形状の負レンズＧ３で構成される。
【００３７】
第４２群Ｕ４２は、両凹形状の負レンズＧ４と物体側の面が凸でメニスカス形状の正レンズＧ５とを接合した接合レンズ、平凸形状の正レンズＧ６で構成される。また、第４３群Ｕ４３は、両凸形状の正レンズＧ７、両凹形状の負レンズＧ８と両凸形状の正レンズＧ９とを接合した接合レンズ、両凸形状の正レンズＧ１０と物体側の面が凹でメニスカス形状の負レンズＧ１１とを接合した接合レンズを有する。更に両凸形状の正レンズＧ１２で構成される。
【００３８】
第４４群Ｕ４４は最も広い空気間隔を境に前群と後群より成る。第４４群Ｕ４４の前群は、両凸形状の正レンズＧ１３、物体側の面が凸でメニスカス形状の正レンズＧ１４と像側の面が凹でメニスカス形状の負レンズＧ１５とを接合した接合レンズで構成される。後群は、像側の面が凹でメニスカス形状の負レンズＧ１６と物体側の面が凸でメニスカス形状の正レンズＧ１７とを接合した接合レンズ、像側の面が凹でメニスカス形状の負レンズＧ１８で構成される。第４２群Ｕ４２を第４４群Ｕ４４と入れ替えることにより、全系の焦点距離範囲を長焦点距離側に２倍変位させている。
【００３９】
本実施例の各条件式の対応値を表１に示す。本実施例は（１）〜（４）を満足しており、リレー部のレンズ構成を適切に設定することで、ズームレンズの焦点距離範囲を長焦点距離側に変位させる第４４群（エクステンダ）Ｕ４４を有しながら、高い光学性能かつ小型であるズームレンズを達成している。
【００４０】
実施例２において、第４群Ｕ４は負の屈折力の第４１群Ｕ４１、第４２群Ｕ４２、正の屈折力の第４３群Ｕ４３で構成され、第４１群Ｕ４１は防振用として光軸に対して垂直な方向に移動する機能を持つ。第４４群Ｕ４４は、第４２群Ｕ４２を光路から退避させ、その代わりに光路中に挿着される。実施例２における第４群（リレー部）Ｕ４について説明する。第４群Ｕ４は数値実施例２において第２８面から第４８面に対応する。第４群Ｕ４を構成する第４１群Ｕ４１は、物体側から像側へ順に、両凹形状の負レンズＧ１と物体側の面が凸でメニスカス形状の正レンズＧ２、物体側の面が凹でメニスカス形状の負レンズＧ３で構成される。
【００４１】
第４２群Ｕ４２は、両凹レンズＧ４と物体側の面が凸でメニスカス形状の正レンズＧ５とを接合した接合レンズ、平凸形状の正レンズＧ６で構成される。また、第４３群Ｕ４３は、両凸形状の正レンズＧ７、両凹形状の負レンズＧ８と両凸形状の正レンズＧ９とを接合した接合レンズを有する。更に両凸形状の正レンズＧ１０と物体側の面が凹でメニスカス形状の負レンズＧ１１とを接合した接合レンズ、両凸形状の正レンズＧ１２で構成される。
【００４２】
第４４群Ｕ４４は最も広い空気間隔を境に前群と後群より成る。第４４群Ｕ４４の前群は、両凸形状の正レンズＧ１３、両凸形状の正レンズＧ１４と両凹形状の負レンズＧ１５とを接合した接合レンズで構成される。後群は、両凹形状の負レンズＧ１６、物体側の面が凸でメニスカス形状の正レンズＧ１７と像側の面が凹でメニスカス形状の負レンズＧ１８とを接合した接合レンズで構成される。第４２群Ｕ４２を第４４群Ｕ４４と入れ替えることにより、全系の焦点距離範囲を長焦点距離側に２倍変位させている。
【００４３】
本実施例の各条件式の対応値を表１に示す。本実施例は（１）〜（４）を満足しており、リレー部のレンズ構成を適切に設定することで、ズームレンズの焦点距離範囲を長焦点距離側に変位させる第４４群（エクステンダ）Ｕ４４を有しながら、高い光学性能かつ小型であるズームレンズを達成している。また、本実施例のズームレンズは（５）、（６）式を満足しており、防振用の第４１群Ｕ４１が小型でありながら、防振時も含めて高い光学性能を実現している。ここで、防振用の第４１群Ｕ４１の有効径は、防振により１．５ｍｍ光軸が移動するときの防振群の偏心量を、防振を行わない場合の有効径に足し合わせた値としている。
【００４４】
本実施例では、光軸に対して垂直な方向に１ｍｍ偏心させることで１．０７ｍｍだけ画像を変位させることができる。よって、防振により１．５ｍｍ光軸が移動するときの防振群の偏心量は１．４ｍｍと求まる。そのため、本実施例の防振用の第４１群Ｕ４１の有効径は、本来の有効径に２．８ｍｍを加えた値に決定されている。実施例２以降の数値実施例に関しても、同様な考え方で防振用の第４１群Ｕ４１の有効径が決定されている。
【００４５】
実施例３において第４群Ｕ４は負の屈折力の第４１群Ｕ４１、第４２群Ｕ４２、正の屈折力の第４３群Ｕ４３で構成され、第４１群Ｕ４１は防振用として光軸に対して垂直な方向に移動する機能を持つ。第４４群Ｕ４４は、第４２群Ｕ４２を光路から退避させ、その代わりに光路中に挿着される。
【００４６】
本実施例の防振用の第４１群Ｕ４１では、光軸に対して垂直な方向に１ｍｍ偏心させることで０．７８ｍｍだけ画像を変位させることができる。
【００４７】
次に、実施例３における第４群（リレー部）Ｕ４について説明する。第４群Ｕ４は数値実施例３において第２８面から第５０面に対応する。第４群Ｕ４を構成する第４１群Ｕ４１は、物体側から像側へ順に、像側の面が凹でメニスカス形状の負レンズＧ１、物体側の面が凸でメニスカス形状の正レンズＧ２、両凹形状の負レンズＧ３で構成される。第４２群Ｕ４２は、両凹形状の負レンズＧ４と両凸形状の正レンズＧ５とを接合した接合レンズ、像側の面が凸でメニスカス形状の正レンズＧ６で構成される。
【００４８】
また、第４３群Ｕ４３は、両凸形状の正レンズＧ７、両凸形状の正レンズＧ８、両凹形状の負レンズＧ９と両凸形状の正レンズＧ１０とを接合した接合レンズを有する。更に両凸形状の正レンズＧ１１と物体側の面が凹でメニスカス形状の負レンズＧ１２とを接合した接合レンズ、両凸形状の正レンズＧ１３で構成される。第４４群Ｕ４４は最も広い空気間隔を境に前群と後群より成る。第４４群Ｕ４４の前群は、両凸形状の正レンズＧ１４、両凸形状の正レンズＧ１５と両凹形状の負レンズＧ１６とを接合した接合レンズで構成される。後群は、両凸形状の正レンズＧ１７と両凹形状の負レンズＧ１８とを接合した接合レンズで構成される。第４２群Ｕ４２を第４４群Ｕ４４と入れ替えることにより、全系の焦点距離範囲を長焦点距離側に２倍変位させている。
【００４９】
本実施例の各条件式の対応値を表１に示す。本実施例は（１）〜（４）の条件式を満足しており、リレー部のレンズ構成を適切に設定することで、ズームレンズの焦点距離範囲を長焦点距離側に変位させる第４４群（エクステンダ）Ｕ４４を有しながら、高い光学性能かつ小型であるズームレンズを達成している。また、本実施例のズームレンズは（５）、（６）の条件式を満足しており、防振用のレンズ群Ｕ４１が小型でありながら、防振時も含めて高い光学性能を実現している。
【００５０】
以上、本発明の好ましい実施形態について説明したが、本発明はこれらの実施形態に限定されず、その要旨の範囲内で種々の変形及び変更が可能である。
【００５１】
図１２は各実施例のズームレンズを撮影光学系として用いた撮像装置（テレビカメラシステム）の概略図である。図１２において１０１は実施例１〜３のいずれかのズームレンズである。１２４はカメラである。ズームレンズ１０１はカメラ１２４に対して着脱可能となっている。１２５はカメラ１２４にズームレンズ１０１を装着することで構成される撮像装置である。
【００５２】
ズームレンズ１０１は第１群（フォーカスレンズ部）Ｆ、変倍部（ズーム部）ＬＺ、結像用の第４群（リレー部）Ｒを有している。第１群Ｆは合焦用レンズ群が含まれている。変倍部ＬＺは変倍のために光軸上を移動する第２群と、変倍に伴う像面変動を補正するために光軸上を移動する第３群が含まれている。ＳＰは開口絞りである。第４群Ｒは光路中より挿抜可能なレンズユニットＩＥ’（第４２群Ｕ４２）、レンズユニットＩＥ（第４４群Ｕ４４）を有している。レンズユニットＩＥ、ＩＥ’を切り替えることで、ズームレンズ１０１の全系の焦点距離範囲を変位している。１１４、１１５は各々第１群Ｆ、変倍部ＬＺを光軸方向に駆動するヘリコイドやカム等の駆動機構である。１１６〜１１８は駆動機構１１４、１１５および開口絞りＳＰを電動駆動するモータ（駆動手段）である。１１９〜１２１は、第１群Ｆや変倍部ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタや色分解光学系に相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ１０１の各種の駆動を制御するＣＰＵである。このように、本発明のズームレンズをテレビカメラに適用することにより、高い光学性能を有する撮像装置を実現している。
【００５３】
以下に本発明の実施例１〜３に対応する数値実施例１〜３を示す。各数値実施例においていずれも、ｉは物体側からの面の順序を示す。ｒｉは物体側より第ｉ番目の面の曲率半径、ｄｉは物体側より第ｉ番目と第ｉ＋１番目の間隔、ｎｄｉ、νｄｉは第ｉ番目の光学部材の屈折率とアッベ数である。ＢＦは空気換算のバックフォーカスである。最後の３つの面は、フィルタ等のガラスブロックである。
【００５４】
非球面形状は光軸方向にＸ軸、光軸と垂直方向にＨ軸、光の進行方向を正とし、Ｒを近軸曲率半径、ｋを円錐常数、Ａ４、Ａ６、Ａ８をそれぞれ非球面係数としたとき、次式で表している。また、「ｅ−Ｚ」は「×１０−Ｚ」を意味する。
【００５５】
【数１】
0005241779.tif 000002
【００５６】
エクステンダ部の数値実施例はエクステンダ部を挿入する物体側直前のレンズ面（第４１群Ｕ４１の最も像側のレンズ面で、例えば数値実施例１ではＲ３２）から示している。また表１に数値実施例１〜３における各条件式に対応する数値を示す。
【００５７】
＜数値実施例１＞
(焦点距離範囲  基準状態時)
単位 mm
面データ
面番号       r        d      nd         νd       有効径
1       7000.000    6.00   1.83400    37.2      195.69
2        345.379    2.00                        189.57
3        345.379   25.91   1.43387    95.1      190.61
4       -527.375   20.74                        191.16
5        331.921   18.73   1.43387    95.1      193.34
6      -4082.422    0.25                        192.86
7        264.903   19.29   1.43387    95.1      188.46
8       3887.712    0.25                        187.25
9        171.964   16.12   1.43875    94.9      174.67
10        367.798  (可変)                        172.80
11       1547.347    2.00   2.00330    28.3       42.77
12         43.466    8.24                         37.79
13        -55.129    2.00   1.88300    40.8       37.77
14         63.246    9.63   1.92286    18.9       41.36
15        -66.171    1.02                         42.37
16        -59.413    2.00   1.77250    49.6       42.43
17*      2736.384  (可変)                         44.72
18        108.766   12.13   1.56907    71.3       81.41
19*     -3543.181    0.20                         81.81
20        100.674   13.34   1.49700    81.5       83.34
21       -613.181    0.20                         82.78
22        103.700    2.50   1.84666    23.8       79.37
23         60.132   20.33   1.43875    94.9       74.98
24       -268.844    0.20                         73.52
25*       201.189    5.73   1.43875    94.9       71.02
26       -889.802  (可変)                         69.63
27(絞り)    ∞       5.19                         32.62
28        186.208    1.40   1.81600    46.6       29.05
29         25.515    5.51   1.84666    23.8       27.14
30         65.304    4.72                         25.92
31        -74.674    1.40   1.88300    40.8       24.90
32       -336.961    7.27                         24.76
33        -23.629    1.80   1.77250    49.6       24.00
34         72.693    2.47   1.84666    23.8       26.53
35        304.414    3.03                         27.10
36          ∞       9.60   1.62041    60.3       29.30
37        -33.451    5.48                         31.93
38        968.789    6.61   1.48749    70.2       33.07
39        -42.681    0.20                         33.28
40       -147.760    1.60   1.88300    40.8       32.40
41         38.666   10.22   1.49700    81.5       32.01
42        -52.689    0.20                         32.65
43        168.155    8.81   1.56732    42.8       32.33
44        -28.418    1.60   1.88300    40.8       31.93
45       -157.717    0.20                         32.63
46        106.332    7.51   1.48749    70.2       32.74
47        -42.361   14.00                         32.52
48          ∞      33.00   1.60859    46.4       60.00
49          ∞      13.20   1.51633    64.2       60.00
50          ∞      11.99                         60.00
像面        ∞   
非球面データ
第17面
K =-2.53234e+004  A 4=-4.13015e-007  A 6=-2.14627e-010  A 8= 2.26588e-013
第19面
K = 5.22565e+003  A 4= 8.81676e-008  A 6= 1.58180e-012  A 8= 6.14872e-015
第25面
K =-9.48244e+000  A 4=-7.57187e-007  A 6=-1.54476e-010  A 8= 2.42122e-014
各種データ
ズーム比    100.00 
広角     中間     望遠
焦点距離       9.30    94.44   929.98  
Fナンバー      1.85     1.85     4.90  
画角          30.60     3.33     0.34  
像高           5.50     5.50     5.50  
レンズ全長   617.99   617.99   617.99  
BF            11.99    11.99    11.99  
d10            3.07   141.07   176.64  
d17          266.10   100.56     1.96  
d26            3.00    30.54    93.57  

入射瞳位置   124.58   996.17   11114.47  
射出瞳位置   227.25   227.25   227.25  
前側主点位置 134.28   1132.04   16062.25  
後側主点位置   2.69   -82.45  -917.99  
ズームレンズ群データ
群  始面    焦点距離  レンズ構成長  前側主点位置  後側主点位置
1    1     238.05       109.29        59.18        -20.74
2   11     -25.00        24.89         4.19        -12.46
3   18      66.50        54.63        13.57        -26.05
4   27      46.22       145.02        59.24         16.83
(エクステンダ部)
32       -336.961    3.50                         24.76
33         65.994    2.75   1.48749    70.2       23.90
34       -449.738    0.40                         23.53
35         17.296    5.07   1.64000    60.1       21.81
36        197.534    0.90   1.84666    23.8       20.59
37         18.033    5.51                         18.30
38        182.659    0.80   1.78800    47.4       17.05
39         11.672    3.59   1.80809    22.8       16.07
40         35.812    1.13                         15.72
41         97.623    1.00   1.88300    40.8       15.64
42         43.673    5.00                         15.44
【００５８】
＜数値実施例２＞
(焦点距離範囲  基準状態時)
単位 mm
面データ
面番号       r        d      nd         νd       有効径
1       7000.000    6.00   1.83400    37.2      195.69
2        345.379    2.00                        189.57
3        345.379   25.91   1.43387    95.1      190.61
4       -527.375   20.74                        191.16
5        331.921   18.73   1.43387    95.1      193.34
6      -4082.422    0.25                        192.86
7        264.903   19.29   1.43387    95.1      188.46
8       3887.712    0.25                        187.25
9        171.964   16.12   1.43875    94.9      174.67
10        367.798  (可変)                        172.80
11       1547.347    2.00   2.00330    28.3       42.77
12         43.466    8.24                         37.79
13        -55.129    2.00   1.88300    40.8       37.77
14         63.246    9.63   1.92286    18.9       41.36
15        -66.171    1.02                         42.37
16        -59.413    2.00   1.77250    49.6       42.43
17*      2736.384  (可変)                         44.72
18        108.766   12.13   1.56907    71.3       81.41
19*     -3543.181    0.20                         81.81
20        100.674   13.34   1.49700    81.5       83.34
21       -613.181    0.20                         82.78
22        103.700    2.50   1.84666    23.8       79.37
23         60.132   20.33   1.43875    94.9       74.98
24       -268.844    0.20                         73.52
25*       201.189    5.73   1.43875    94.9       71.02
26       -889.802  (可変)                         69.63
27(絞り)    ∞       4.50                         32.62
28       -218.375    1.00   1.81600    46.6       32.95
29         34.790    0.20                         31.73
30         30.180    4.33   1.84666    23.8       31.95
31         82.724    4.91                         31.30
32        -60.480    1.00   1.88300    40.8       30.55
33       -307.193    6.38                         30.64
34        -67.453    1.80   1.75500    52.3       27.78
35         62.254    4.41   1.80518    25.4       28.64
36        693.124    3.03                         29.08
37          ∞      11.21   1.62041    60.3       30.00
38       -104.615    6.53                         31.93
39         94.562    8.62   1.48749    70.2       33.07
40        -48.439    0.20                         32.92
41        -68.383    1.60   1.88300    40.8       32.43
42         49.733    9.12   1.48749    70.2       32.51
43        -36.756    0.20                         33.02
44        310.864    7.63   1.56732    42.8       32.19
45        -28.174    1.60   1.88300    40.8       31.83
46       -140.085    0.20                         32.41
47         53.439    7.71   1.48749    70.2       32.37
48        -74.444   14.00                         31.63
49          ∞      33.00   1.60859    46.4       60.00
50          ∞      13.20   1.51633    64.2       60.00
51          ∞      12.03                         60.00
像面        ∞   
非球面データ
第17面
K =-2.53234e+004  A 4=-4.13015e-007  A 6=-2.14627e-010  A 8= 2.26588e-013
第19面
K = 5.22565e+003  A 4= 8.81676e-008  A 6= 1.58180e-012  A 8= 6.14872e-015
第25面
K =-9.48244e+000  A 4=-7.57187e-007  A 6=-1.54476e-010  A 8= 2.42122e-014
各種データ
ズーム比    100.00 
広角     中間     望遠
焦点距離       9.30    94.44   929.98  
Fナンバー      1.85     1.85     4.90  
画角          30.60     3.33     0.34  
像高           5.50     5.50     5.50  
レンズ全長   619.37   619.37   619.37  
BF            12.03    12.03    12.03  
d10            3.07   141.07   176.64  
d17          266.10   100.56     1.96  
d26            3.00    30.54    93.57  

入射瞳位置   124.58   996.17   11114.47  
射出瞳位置   341.49   341.49   341.49  
前側主点位置 134.14   1117.68   14669.48  
後側主点位置   2.73   -82.41  -917.96  
ズームレンズ群データ
群  始面    焦点距離  レンズ構成長  前側主点位置  後側主点位置
1    1     238.05       109.29        59.18        -20.74
2   11     -25.00        24.89         4.19        -12.46
3   18      66.50        54.63        13.57        -26.05
4   27      50.37       146.37        59.63         17.29
(エクステンダ部)
33       -307.193    5.05                         30.64
34        368.172    3.11   1.75500    52.3       27.78
35        -52.809    0.20                         27.74
36         18.456    6.27   1.50137    56.4       24.33
37       -633.309    0.90   1.69895    30.1       22.93
38         23.532    8.99                         20.41
39        -44.487    0.70   1.60311    60.6       16.80
40         46.696    0.39                         16.32
41         41.378    1.75   1.80809    22.8       16.26
42        659.923    0.70   1.81600    46.6       16.01
43         25.831    5.31                         15.55
【００５９】
＜数値実施例３＞
(焦点距離範囲  基準状態時)
単位 mm
面データ
面番号       r        d      nd         νd       有効径
1       7000.000    6.00   1.83400    37.2      195.69
2        345.379    2.00                        189.57
3        345.379   25.91   1.43387    95.1      190.61
4       -527.375   20.74                        191.16
5        331.921   18.73   1.43387    95.1      193.34
6      -4082.422    0.25                        192.86
7        264.903   19.29   1.43387    95.1      188.46
8       3887.712    0.25                        187.25
9        171.964   16.12   1.43875    94.9      174.67
10        367.798  (可変)                        172.80
11       1547.347    2.00   2.00330    28.3       42.77
12         43.466    8.24                         37.79
13        -55.129    2.00   1.88300    40.8       37.77
14         63.246    9.63   1.92286    18.9       41.36
15        -66.171    1.02                         42.37
16        -59.413    2.00   1.77250    49.6       42.43
17*      2736.384  (可変)                         44.72
18        108.766   12.13   1.56907    71.3       81.41
19*     -3543.181    0.20                         81.81
20        100.674   13.34   1.49700    81.5       83.34
21       -613.181    0.20                         82.78
22        103.700    2.50   1.84666    23.8       79.37
23         60.132   20.33   1.43875    94.9       74.98
24       -268.844    0.20                         73.52
25*       201.189    5.73   1.43875    94.9       71.02
26       -889.802  (可変)                         69.63
27(絞り)    ∞       6.50                         32.62
28        211.142    1.00   1.88300    40.8       32.10
29         28.490    0.19                         30.61
30         25.313    5.25   1.78470    26.3       30.76
31        126.175    4.75                         29.89
32        -58.883    1.00   1.88300    40.8       28.18
33        907.627    5.87                         27.95
34        -25.410    1.20   1.81600    46.6       23.67
35         38.551    3.56   1.71736    29.5       26.05
36       -774.755    3.03                         26.57
37        -53.480   10.54   1.63930    44.9       27.60
38        -24.309    6.41                         31.92
39         79.464    4.00   1.58144    40.8       33.08
40       -334.906    0.20                         32.88
41        106.018    4.00   1.51742    52.4       32.46
42       -196.825    1.00                         31.93
43       -125.253    1.60   1.83481    42.7       31.62
44         26.494    7.83   1.49700    81.5       30.60
45       -542.191    0.20                         31.02
46         79.746    8.85   1.51633    64.1       31.43
47        -25.971    1.60   1.88300    40.8       31.42
48        -75.619    0.20                         32.85
49        214.975    7.42   1.48749    70.2       33.22
50        -33.382   14.00                         33.32
51          ∞      33.00   1.60859    46.4       60.00
52          ∞      13.20   1.51633    64.2       60.00
53          ∞      12.00                         60.00
像面        ∞   
非球面データ
第17面
K =-2.53234e+004  A 4=-4.13015e-007  A 6=-2.14627e-010  A 8= 2.26588e-013
第19面
K = 5.22565e+003  A 4= 8.81676e-008  A 6= 1.58180e-012  A 8= 6.14872e-015
第25面
K =-9.48244e+000  A 4=-7.57187e-007  A 6=-1.54476e-010  A 8= 2.42122e-014
各種データ
ズーム比    100.00 
広角     中間     望遠
焦点距離       9.30    94.44   930.00  
Fナンバー      1.85     1.85     4.90  
画角          30.60     3.33     0.34  
像高           5.50     5.50     5.50  
レンズ全長   619.39   619.39   619.39  
BF            12.00    12.00    12.00  
d10            3.07   141.07   176.64  
d17          266.10   100.56     1.96  
d26            3.00    30.54    93.57  

入射瞳位置   124.58   996.17   11114.47  
射出瞳位置   191.58   191.58   191.58  
前側主点位置 134.36   1140.28   16860.61  
後側主点位置   2.70   -82.44  -918.00  
ズームレンズ群データ
群  始面    焦点距離  レンズ構成長  前側主点位置  後側主点位置
1    1     238.05       109.29        59.18        -20.74
2   11     -25.00        24.89         4.19        -12.46
3   18      66.50        54.63        13.57        -26.05
4   27      44.15       146.41        59.04         16.62
(エクステンダ部)
33        907.627    5.87                         27.95
34         30.270    4.73   1.57135    53.0       22.81
35       -125.330    0.20                         22.01
36        160.629    2.95   1.56732    42.8       21.21
37        -52.266    0.90   1.72825    28.5       20.37
38         35.753    7.40                         19.01
39        715.123    1.76   1.92286    18.9       16.91
40        -51.061    0.80   1.72916    54.7       16.72
41         26.436    6.00                         16.04
【００６０】
【表１】
0005241779.tif 000003
【符号の説明】
【００６１】
Ｕ１      第１レンズ群（フォーカスレンズ部）    Ｕ２      第２レンズ群
Ｕ３      第３レンズ群            Ｕ４      第４レンズ群
Ｕ４１    第４１群        Ｕ４２    第４２群        Ｕ４３    第４３群
Ｕ４４    第４４群（エクステンダ）        ＳＰ      開口絞り
１２５    撮像装置          ＬＺ      ズーム部
【図１】
0005241779.tif 000004
【図２】
0005241779.tif 000005
【図３】
0005241779.tif 000006
【図４】
0005241779.tif 000007
【図５】
0005241779.tif 000008
【図６】
0005241779.tif 000009
【図７】
0005241779.tif 000010
【図８】
0005241779.tif 000011
【図９】
0005241779.tif 000012
【図１０】
0005241779.tif 000013
【図１１】
0005241779.tif 000014
【図１２】
0005241779.tif 000015
【図１３】
0005241779.tif 000016
【図１４】
0005241779.tif 000017
【図１５】
0005241779.tif 000018